(57)【要約】      （修正有）【課題】ベランダの欄干と外壁を利用して簡単に装着することのできる物干金物を提供する。【解決手段】略ト字形に形成し、ベランダ外壁ｆ内側から斜め手前上方に向けて形成した第１アームｂ０１の上端に丸環形の棹受ｂ０４を有し、この第１アームｂ０１第１アームｂ０１の肘部ｂ０２がベランダ外壁ｆに当接することで、棹受ｂ０４からの洗濯物加重による下向き回転運動を止めることができるので、欄干ｅ及びベランダ外壁ｆで支持することになり、ベランダの欄干ｅに複数取り付けることで洗濯物物干棹ｇを容易に増設できることを特徴とする。【選択図】図１
2006136685.tif 000002
【特許請求の範囲】
【請求項１】
本発明は、略ト字形に形成し、ベランダ外壁内側から斜め手前上方に向けて形成した第１アームの上端に丸環形の棹受を有し、この第１アームの下端に接続して鉛直に形成した肘部にゴム板を貼り付け、このゴム板が鉛直なベランダ外壁面内側に当接する形状を成し、一方第１アーム中間から水平に接続してベランダ外方向に第２アームを形成し、第２アームの端付近から第１アーム付根方向に向かって鉛直に開口した適当な長さのスライド係止部を有し、逆Ｌ字形に形成した基部がこのスライド係止部の下面に内向きに当接して、この基部の上面に設けた第２アームスライド溝部分に固定雌ネジと挟持雌ネジを形成し、この第２アームスライド溝にスライド係止部がスライド自在に当接し、固定ボルトが下から上向きに鉛直に固定雌ネジ及びスライド係止部を嵌挿して、基部内側コーナーの下面と鉛直面に欄干を当接した状態でスライド係止部を固定ナットで締付けることで第２アームを水平に設定するとともに、挟持ボルトがスライド係止部を下向きに嵌挿して挟持雌ネジに締付けることで第２アームを基部に固定し、この基部の鉛直面中央縦長に開口した係止部を設け、この係止部左右側面縦方向に等間隔で多数の支持ボルト嵌挿穴を水平に設けて成り、他方略水平に形成した略長方形の挟持部挟持杆の係止部側先端付近に水平に支点嵌挿穴を設け、当該挟持杆の支点嵌挿穴側を係止部に挿入して、支持ボルトが支持ボルト嵌挿穴及び支点嵌挿穴を嵌挿し、支持ナットで抜け止めすることで支持ボルトを支点として挟持杆が円弧に回転できる構造を成し、挟持杆を欄干の下端に当接し、前記の挟持ボルトが挟持ボルト嵌挿穴を嵌挿し、挟持杆の下側から挟持ナットで締付けることで、基板上部及び挟持杆の間でベランダ欄干を挟持し、基部を欄干に固定できるので、第１アームの肘部がベランダ外壁に当接することで、本発明棹受からの洗濯物加重による下向き回転運動を止めることができるので、欄干及びベランダ外壁で本発明を支持することになり、ベランダの欄干に本発明を複数取り付けることで洗濯物物干棹を容易に増設できることを特徴とする物干金物。
【発明の詳細な説明】
【技術分野】
【０００１】  本発明は、マンションのベランダに取り付ける物干金物に関するものである。
【背景技術】
【０００２】  マンションのベランダ外壁は、マンション建設時に物干金物が取り付けられているのが一般的である。【０００３】  しかし、既存の物干金物は２箇所か３箇所に取り付けられている程度であり、取り付け場所が固定している。さらに、全般的にベランダの外壁の高さが低いので、既存物干金物はベランダの床から８０〜９０センチメートルの低い位置の壁面に取り付けられているのが一般的である。【０００４】  物干金物の取り付け位置を変更したい場合や増設したい場合に従来の技術では不便なものが多い。【０００５】  また、マンションのベランダは一般的にマンション管理組合の共用部分に属する専用使用部分であるので、専有部分とは異なり専用使用部分の付属設備を改造することはできないし、また他の物に替えることもできない。
【発明の開示】
【発明が解決しようとする課題】
【０００６】  解決しようとする問題点は、ベランダの欄干と外壁を利用して物干金物を簡単に装着する技術を提供する。
【課題を解決するための手段】
【０００７】本発明は、略ト字形に形成し、ベランダ外壁内側から斜め手前上方に向けて形成した第１アームの上端に丸環形の棹受を有し、この第１アームの下端に接続して鉛直に形成した肘部にゴム板を貼り付け、このゴム板が鉛直なベランダ外壁面内側に当接する形状を成し、一方第１アーム中間から水平に接続してベランダ外方向に第２アームを形成し、第２アームの端付近から第１アーム付根方向に向かって鉛直に開口した適当な長さのスライド係止部を有し、逆Ｌ字形に形成した基部がこのスライド係止部の下面に内向きに当接して、この基部の上面に設けた第２アームスライド溝部分に固定雌ネジと挟持雌ネジを形成し、この第２アームスライド溝にスライド係止部がスライド自在に当接し、固定ボルトが下から上向きに鉛直に固定雌ネジ及びスライド係止部を嵌挿して、基部内側コーナーの下面と鉛直面に欄干を当接した状態でスライド係止部を固定ナットで締付けることで第２アームを水平に設定するとともに、挟持ボルトがスライド係止部を下向きに嵌挿して挟持雌ネジに締付けることで第２アームを基部に固定し、この基部の鉛直面中央縦長に開口した係止部を設け、この係止部左右側面縦方向に等間隔で多数の支持ボルト嵌挿穴を水平に設けて成り、他方略水平に形成した略長方形の挟持部挟持杆の係止部側先端付近に水平に支点嵌挿穴を設け、当該挟持杆の支点嵌挿穴側を係止部に挿入して、支持ボルトが支持ボルト嵌挿穴及び支点嵌挿穴を嵌挿し、支持ナットで抜け止めすることで支持ボルトを支点として挟持杆が円弧に回転できる構造を成し、挟持杆を欄干の下端に当接し、前記の挟持ボルトが挟持ボルト嵌挿穴を嵌挿し、挟持杆の下側から挟持ナットで締付けることで、基板上部及び挟持杆の間でベランダ欄干を挟持し、基部を欄干に固定できるので、第１アームの肘部がベランダ外壁に当接することで、本発明棹受からの洗濯物加重による下向き回転運動を止めることができるので、欄干及びベランダ外壁で本発明を支持することになり、ベランダの欄干に本発明を複数取り付けることで洗濯物物干棹を容易に増設できることを特徴とする物干金物によって解決する。
【発明の効果】
【０００８】  ベランダの欄干の太さ・形状は各種のものがあり、ベランダの外壁の厚みもマンションによってまちまちであるが、本発明を装着することで多様なマンションの欄干仕様及び外壁仕様に対応して比較的容易に装着できる。
【発明を実施するための最良の形態】
【０００９】  本発明をマンションベランダの欄干・外壁に取り付けて、物干金物を増設して使用する。
【実施例１】
【００１０】  図１、図２は、本発明の１実施例の斜視図である。【００１１】  ベランダの欄干ｅに本発明ａの基部ｃをベランダの外側から逆Ｌ字形内向きにあてがい、略ト字形に形成した物干アームｂの第２アームｂ０５が水平になるようにスライド係止部ｂ０６をスライドして、第１アームｂ０１の肘部ｂ０２に貼り付けたゴム板ｂ０３をベランダ外壁ｆに当接し、固定ボルトｃ０４及び固定ナットｃ０５でスライド係止部ｂ０６を基板ｃ０１に締付け、さらに挟持ボルトｃ０６で基板ｃ０１に締付けることで、基部ｃに物干アームｂを固定する。【００１２】  一方、挟持杆ｄ０１を欄干ｅに下方よりあてがい、挟持ボルトｃ０６と挟持ナットｃ０７で欄干ｅを挟持して本発明ａをベランダに装着する。【００１３】  図２は、本発明ａをベランダの２箇所に装着した斜視図で、棹受ｂ０４に物干棹ｇを懸けて使用する。【００１４】  図３は本発明ａの基部ｃ、挟持部ｄの構造を主に説明するための拡大斜視図で、図４は挟持部ｄの斜視図、図５は挟持部ｄの平面図である。【００１５】  基板ｃ０１に形成した第２アームスライド溝ｃ０８を第２アームｂ０５のスライド係止部ｂ０６がスライドして、固定ボルトｃ０４と固定ナットｃ０５で第２アームｂ０５を締付けて固定し、さらに挟持ボルトｃ０６で基板ｃ０１の挟持雌ネジｃ１０に締付けて第２アームｂ０５を固定する。【００１６】  支持ボルトｃ１１が支持ボルト嵌挿穴ｃ０３及び支点嵌挿穴ｄ０３を嵌挿して、支持ボルトｃ１１の高さ位置を調節することで、基板ｃ０１の上部と挟持杆ｄ０１の間隔を調節できるので、欄干ｅの太さに合わせて挟持杆ｄ０１で挟持することができ、挟持ボルト嵌挿穴ｄ０２に嵌挿した挟持ボルトｃ０６を挟持ナットｃ０７で締付けることで固定できる。【００１７】  図６はＡ−Ａ断面図で、図７はＢ−Ｂ断面図である。【００１８】  基板ｃ０１は断面が逆Ｌ字形形状で内側コーナー面を欄干ｅに当接し、固定ボルトｃ０４が下から上へ向けて基板ｃ０１固定雌ネジｃ０９及び第２アームｂ０５スライド係止部ｂ０６を嵌挿し、固定ナットｃ０５で締付けて固定する構造を成し、さらに挟持ボルトｃ０６が第２アームスライド溝ｃ０８を上から下へ嵌挿して基盤ｃ０１に設けた挟持雌ネジｃ１０に締付けることで第２アームｂ０５を基板ｃ０１に固定する。【００１９】  基板ｃ０１の鉛直中央面縦長に開口した係止部ｃ０２の左右側面縦方向等間隔に支持ボルト嵌挿穴ｃ０３を水平に形成し、支持ボルトｃ１１が支持ボルト嵌挿穴ｃ０３及び支点嵌挿穴ｄ０３を嵌挿して、支持ナットｃ１２で抜け止めする構造を成し、支持ボルトｃ１１の高さ位置を変えることで欄干ｅの太さに対応して挟持杆ｄ０１の挟持位置を調節できるものとする。【００２０】  挟持杆ｄ０１に設けた挟持ボルト嵌挿穴ｄ０２を挟持ボルトｃ０６が嵌挿して挟持ナットｃ０７で締付けることで欄干ｅを挟持する。
【図面の簡単な説明】
【００２１】
【図１】本発明をベランダに装着した斜視図である。
【図２】本発明を２台ベランダに装着し、物干棹を懸けた斜視図である。
【図３】本発明の基部、挟持部を主に説明するための拡大斜視図である。
【図４】挟持部の斜視図である。
【図５】挟持部の平面図である。
【図６】Ａ−Ａ断面図である。
【図７】Ｂ−Ｂ断面図である。
【符号の説明】
【００２２】    ａ  本発明
ｂ  物干アーム
ｂ０１  第１アーム
ｂ０２  肘部
ｂ０３  ゴム板
ｂ０４  棹受
ｂ０５  第２アーム
ｂ０６  スライド係止部
ｃ  基部
ｃ０１  基板
ｃ０２  係止部
ｃ０３  支持ボルト嵌挿穴
ｃ０４  固定ボルト
ｃ０５  固定ナット
ｃ０６  挟持ボルト
ｃ０７  挟持ナット
ｃ０８  第２アームスライド溝
ｃ０９  固定雌ネジ
ｃ１０  挟持雌ネジ
ｃ１１  支持ボルト
ｃ１２  支持ナット
ｄ  挟持部
ｄ０１  挟持杆
ｄ０２  挟持ボルト嵌挿穴
ｄ０３  支点嵌挿穴
ｅ  欄干
ｆ  ベランダ外壁
ｇ  物干棹
【図１】
2006136685.tif 000003
【図２】
2006136685.tif 000004
【図３】
2006136685.tif 000005
【図４】
2006136685.tif 000006
【図５】
2006136685.tif 000007
【図６】
2006136685.tif 000008
【図７】
2006136685.tif 000009